(57)【特許請求の範囲】
【請求項１】
排水金具の備わった手洗い器と、
前記手洗い器が取付けられるカウンタと、
前記手洗い器を前記カウンタに取付ける固定金具と、
前記カウンタ下方から前記手洗い器を当該カウンタに固定する固定ネジと、を備えた手洗い器のカウンタへの取付け構造において、
前記手洗い器は、当該手洗い器をカウンタに固定する固定穴と、当該固定穴に連通する固定空間を備え、
前記固定金具は、
前記手洗い器の固定穴に弾性圧縮された状態で先端側から挿入されかつ挿入後に前記手洗い器の固定空間内に仮止め状態で保持される係合部と、
前記係合部の基端側に連結され前記仮止め状態における固定ネジ挿入穴を形成する固定ネジ挿入部と、
前記固定ネジ挿入部に設けられ外側に延在し挿入方向に傾斜し弾性を有し、前記手洗い器と前記カウンタの間に位置する脚部と、を有し、
前記固定金具は、前記手洗い器の固定穴に取付けられ、
前記係合部の前記手洗い器への仮止め状態において、前記固定ネジ挿入部が前記脚部を介して前記手洗い器の固定穴の開口部から離間しており、かつ前記固定ネジ挿入穴を介して前記固定ネジ挿入部に前記固定ネジを挿入することで前記係合部が当該固定ネジにより拡開して前記手洗い器の固定空間内の前記固定ネジ開口部周囲に当接するようになったことを特徴とする手洗い器のカウンタへの取付け構造。
【請求項２】
前記係合部は、当該係合部を前記固定穴に挿入するためのテーパ部を先端側に設けると共に、当該テーパ部の基端側に隣接して形成され前記係合部の前記手洗い器への仮止め状態において当該係合部の前記固定穴からの抜けを防止する抜け止め部を有したことを特徴とする、請求項１に記載の手洗い器のカウンタへの取付け構造。
【請求項３】
前記係合部には前記固定ネジ挿入用のガイド部が形成されていることを特徴とする、請求項１又は請求項２に記載の手洗い器のカウンタへの取付け構造。
【発明の詳細な説明】
【技術分野】
【０００１】
本発明は、皿形をなす手洗い器又は洗面器のカウンタへの取付け構造に関する。
【背景技術】
【０００２】
近年、トイレルームのデザイン性や使い勝手を向上させるために、トイレルーム内に設けられたカウンタ上に皿形をなす手洗い器又は洗面器（以下、これを単に「手洗い器」とする）を載置して固定する形態がとられるようになっている。
【０００３】
そして、このような手洗い器のデザイン性や使い勝手をより向上させるために、手洗い器の形状に関してぼってりした印象を与える鉢形の形状からすっきりした印象を与えるより深さの浅い皿形の形状が好まれて使用されるようになっている。更には、カウンタへの取付けの難しい皿形形状の手洗い器をトイレルームのカウンタにしっかりと固定する技術が開示されている（例えば、特許文献１参照）。
【特許文献１】特開２００５−５８４０２号公報（３−４頁、図１４参照）
【発明の開示】
【発明が解決しようとする課題】
【０００４】
係る特許文献１に記載の手洗い器のカウンタへの取付け構造によると、Ｊ形をなす複数のフックボルトを上下逆にした状態で手洗い器の取付け穴を介して手洗い器に仮係合させ、この状態で手洗い器をカウンタの上に載置し、フックボルトの下端を対応するカウンタの手洗い器固定穴に夫々挿入した後、蝶ナットで締め付けて手洗い器をカウンタに固定するようになっている。
【０００５】
しかしながら、このような特許文献１に記載の手洗い器のカウンタへの取付け構造の場合、複数のフックボルトを手洗い器に仮係合させると、フックボルトがＪ形をなしてこれを上下逆にして上側の引っ掛かり部で手洗い器に引っ掛けた状態になるので、各フックボルトの下端がそれぞれ別々の方向を向いてしまう。そのため、手洗い器をカウンタに載置する際に全てのフックボルトの下端をカウンタの取付け穴に同時に挿入されるように各フックボルトの下端の向きを調整しながら手洗い器をカウンタに載置しなければならず、手洗い器のカウンタへの取付け作業性が悪いという問題が生じていた。
【０００６】
本発明の目的は、皿形をなす手洗い器をトイレルームのカウンタに簡単に取付けることのできる手洗い器のカウンタへの取付け構造を提供することにある。
【課題を解決するための手段】
【０００７】
上述した課題を解決するために、本発明にかかる手洗い器のカウンタへの取付け構造は、
排水金具の備わった手洗い器と、
前記手洗い器が取付けられるカウンタと、
前記手洗い器を前記カウンタに取付ける固定金具と、
前記カウンタ下方から前記手洗い器を当該カウンタに固定する固定ネジと、を備えた手洗い器のカウンタへの取付け構造において、
前記手洗い器は、当該手洗い器をカウンタに固定する固定穴と、当該固定穴に連通する固定空間を備え、
前記固定金具は、
前記手洗い器の固定穴に弾性圧縮された状態で先端側から挿入されかつ挿入後に前記手洗い器の固定空間内に仮止め状態で保持される係合部と、
前記係合部の基端側に連結され前記仮止め状態における固定ネジ挿入穴を形成する固定ネジ挿入部と、
前記固定ネジ挿入部に設けられ外側に延在し挿入方向に傾斜し弾性を有し、前記手洗い器と前記カウンタの間に位置する脚部と、を有し、
前記固定金具は、前記手洗い器の固定穴に取付けられ、
前記係合部の前記手洗い器への仮止め状態において、前記固定ネジ挿入部が前記脚部を介して前記手洗い器の固定穴の開口部から離間しており、かつ前記固定ネジ挿入穴を介して前記固定ネジ挿入部に前記固定ネジを挿入することで前記係合部が当該固定ネジにより拡開して前記手洗い器の固定空間内の前記固定ネジ開口部周囲に当接するようになったことを特徴としている。
【０００８】
請求項１に記載の発明がこのような手洗い器のカウンタへの取付け構造を有することで、従来の皿形の手洗い器のカウンタへの取付け構造のようにＪ形をなす複数のフックボルトを上下逆にした状態で手洗い器の取付け穴を介して手洗い器に仮係合させ、この状態で手洗い器をカウンタの上に載置して手洗い器をカウンタに固定する必要がない。
【０００９】
これによって、手洗い器をカウンタに載置する際に全てのフックボルトの下端をカウンタの取付け穴に同時に挿入されるように各フックボルトの下端の向きを調整しながら手洗い器をカウンタに載置する作業を行わずに済み、皿形の手洗い器をカウンタに容易に取付けることができるようになる。
また、固定ネジ挿入部には弾性を有する脚部が該固定ネジ挿入部から外側に延在し挿入方向に傾斜して設けられているので、手洗い器をカウンタに取付ける際に例えば陶器でできた手洗器の寸法上の公差を吸収しながらカウンタに取付けることができる。
【００１０】
また、本発明の請求項２に係る手洗い器のカウンタへの取付け構造は、請求項１に記載の手洗い器のカウンタへの取付け構造において、
前記係合部は、当該係合部を前記固定穴に挿入するためのテーパ部を先端側に設けると共に、当該テーパ部の基端側に隣接して形成され前記係合部の前記手洗い器への仮止め状態において当該係合部の前記固定穴からの抜けを防止する抜け止め部を有したことを特徴としている。
【００１１】
係合部がこのようなテーパ部を有することで、係合部を手洗い器の固定穴に容易に挿入することができる。また、係合部がこのような抜け止め部を有することで、手洗い器に係合部が一旦仮止め状態になると手洗い器から抜け落ちることがなく、手洗い器をカウンタに取付ける際の作業性の低下を回避することができる。
【００１２】
また、本発明の請求項３に係る手洗い器のカウンタへの取付け構造は、請求項１又は請求項２に記載の手洗い器のカウンタへの取付け構造において、
前記係合部には前記固定ネジ挿入用のガイド部が形成されていることを特徴としている。
【００１３】
係合部にこのようなガイド部が備わることで、固定ネジを固定金具に正しい向きで取付けることができ、これによって固定ネジ挿入後に係合部を確実に拡開することが可能となり、手洗い器をカウンタにしっかりと固定することができるようになる。
【発明の効果】
【００１４】
本発明によると、皿形をなす手洗い器をトイレルームのカウンタに簡単に取付けることのできる手洗い器のカウンタへの取付け構造を提供することができる。
【００１５】
より具体的には、本発明がこのような手洗い器のカウンタへの取付け構造を有することで、従来の皿形の手洗い器のカウンタへの取付け構造のようにＪ形をなす複数のフックボルトを上下逆にした状態で手洗い器の取付け穴を介して手洗い器に仮係合させ、この状態で手洗い器をカウンタの上に載置して手洗い器をカウンタに固定する必要がない。
【００１６】
これによって、手洗い器をカウンタに載置する際に全てのフックボルトの下端をカウンタの取付け穴に同時に挿入されるように各フックボルトの下端の向きを調整しながら手洗い器をカウンタに載置する作業を行わずに済み、皿形の手洗い器をカウンタに容易に取付けることができるようになる。
【発明を実施するための最良の形態】
【００１７】
以下、本発明の一実施形態に係る手洗い器のカウンタへの取付け構造について図面に基づいて説明する。図１は、本実施形態に係る皿形の手洗い器１０がカウンタ２０に載置して固定された状態を示すトイレルームの側面図であり、図２は、図１に対応してトイレルームの便器前方から見た正面図であり、図３は、本実施形態に係る皿形の手洗い器１０がカウンタ２０に固定された状態を部分的に示す断面図である。また、図４は手洗い器１０をカウンタ２０に固定するための固定金具１００の正面図であり、図５は図４に示した固定金具１００の側面図であり、図６は図５に示した固定金具１００の平面図である。また、図７は、本実施形態における固定金具に固定ネジを完全に挿入した後の状態をカウンタの固定穴と共に示す断面図である。また、図８は本実施形態において使用される手洗い器１０の断面図（図８（ａ））及び従来のＪ型のフックを用いてカウンタに取付けられる手洗い器１０の断面図（図８（ｂ））である。
【００１８】
なお、以下の説明においては、手洗い器１０のカウンタ２０への取付け構造として説明するが、手洗い器１０の代りにこれより大きさの大きい洗面器をカウンタ２０に取付ける場合にも本発明は適用可能である。
【００１９】
図１及び図２に示すように、本実施形態における皿形の手洗い器１０は、トイレルーム内のカウンタ２０の手洗い用の蛇口２１の下に固定されるようになっている。そして、本実施形態における手洗い器１０のカウンタ２０への取付け構造は、図３に示すように排水ソケット１８の備わった手洗い器１０と、手洗い器１０が取付けられるカウンタ２０と、手洗い器１０をカウンタ２０に取付ける固定金具１００と、カウンタ下部２０ｂから手洗い器１０をカウンタ２０に固定する固定ネジ２００とを備えている。そして、手洗い器１０は、図８（ａ）に示す深さの浅い皿形の手洗い器からなり、陶器でできている。即ち、手洗い器１０は、図３及び図８（ａ）の断面図に示すように、手洗い用の水が流れる内壁部１１と、この内壁部の周囲を囲う外壁部１２と、この外壁部１２の下端１２ａと内壁部１１の下方部分１１ａを連結し、カウンタ２０の上面２０ａに当接する底壁部１３とを有している。そして、底壁部１３には、手洗い器をカウンタに固定する固定穴１４が周方向所定間隔を隔てて形成されると共に、内壁部１１と外壁部１２と底壁部１３で画成された狭い空間であって固定金具１００の係合部１１０を収容する役目を果す固定空間１５が形成されている。また、内壁部１１の下端は窄まって手洗い用の水が排出される排水ソケット１８（図３参照）が備わっている。
【００２０】
手洗い器１０の排水ソケット１８には、手洗い器１０をカウンタ２０に載置固定した状態でカウンタ下部２０ｂから延在する排水管２５が接続されるようになっている。なお、手洗い器１０の排水ソケット１８には、使用者の操作により手洗い器内に水を溜めたり排出したりする公知の排水プラグ１９が備わっている。
【００２１】
カウンタ２０には、手洗い器１０が載置固定される位置に手洗い器１０の排水用ソケット１８を通すソケット挿入穴２２が予め備わると共に、手洗い器１０の固定穴１４に対応する位置に手洗い器固定用貫通穴２４が予め穿設されている。そして、カウンタ下部２０ｂには所定の空間が形成されて後述する固定金具１００をカウンタ下部２０ｂから手洗い器１０の固定穴１４に向かってカウンタ２０の手洗い器固定用貫通穴２４に挿通できるようになっている。
【００２２】
手洗い器１０をカウンタ２０に載置した状態で固定するための固定金具１００は、例えばバネ性に富んだ金属でできており、図４乃至図６に示すように手洗い器１０の固定穴１４を介して固定空間内に挿入される係合部１１０と、係合部１１０の手洗い器１０への挿入方向基端部に一体に備わった固定ネジ挿入部１２０と、固定ネジ挿入部１２０に備わった脚部１３０を有している。そして、複数の固定金具１００が手洗い器１０の底壁部１３の周方向に設けられた固定穴１４に挿入されて仮係合された後、それぞれの固定金具１００をカウンタ２０の手洗い器固定用貫通穴２４に位置合わせした状態で手洗い器１０をカウンタ２０に載せた後、固定ネジ２００をカウンタ下部２０ｂから固定金具１００に挿入して締め付けることで手洗い器１０をカウンタ２０にしっかりと固定するようになっている。
【００２３】
係合部１１０は、後述する平面視矩形板状の固定ネジ挿入部１２０の対向する側縁の略中央部から上方に向かってそれぞれ延在形成されている。なお、係合部１１０はこの挿入方向に向かうに従って互いの幅が狭まるように対向して延在したベース係合部１１１と、ベース係合部１１１の基端部に連結された固定ネジ挿入部１２０より僅かに離れた位置からベース係合部１１１の先端に至るまでベース係合部１１１の両側縁から側面視で三角形状をなすようにベース係合部１１１に対してそれぞれ垂直かつ外側に折り曲げられた折り曲げ係合部１１２を備えている。
【００２４】
そして、折り曲げ係合部１１２の挿入方向先端側の傾斜部は係合部１１０を固定穴１４に挿入するためのテーパ部１１３をなし、基端側の傾斜部は係合部１１０の手洗い器１０への仮止め状態において係合部１１０の固定穴１４からの抜けを防止する抜け止め部１１４を形成している。
【００２５】
なお、対向するベース係合部１１１の挿入方向先端部１１１ａ間の間隔Ｇは係合部１１０の仮止め状態で手洗い器１０をカウンタ２０へ載せた後に挿入される固定ネジ２００の直径よりも僅かに狭くなっている。これによって後述する固定ネジ挿入穴１２１から固定ネジ２００を挿入した際にベース係合部１１１の先端１１１ａが固定ネジ２００で押し広げられてベース係合部１１１の抜け止め部１１４が外側に拡開するようになっている。
【００２６】
また、ベース係合部１１１は対向する内側が固定ネジ２００の外周に沿うように凹んでおり（図６参照）、この凹み部１１５によって固定ネジ２００を固定ネジ挿入穴１２１から挿入した際に固定ネジ２００が各ベース係合部間に正しい向きで進入していき、これによって係合部１１０を確実に拡開するようになっている。
【００２７】
また、ベース係合部１１１には折り曲げ係合部１１２に隣接したベース係合部１１１の基端側位置の両側にそれぞれ切欠き部１１６が形成され（図５参照）、この部分でベース係合部１１１の幅が狭くなっている。そして、この切欠き部１１６によって固定ネジ挿入穴１２１から固定ネジ２００を挿入した際に折り曲げ係合部１１２が幅狭部１１７を支点として拡開し易くなり、手洗い器１０の固定空間内の固定穴開口部周囲への抜け止め部１１４の引っ掛かりを確実に行わせるようになっている。
【００２８】
固定ネジ挿入部１２０は上述したように平面視で板状をなし、図６に示すように中央部に固定ネジ挿入穴１２１を備えると共に、固定ネジ挿入穴１２１の周囲が膨出部１２２として周方向所定幅だけ係合部に向かって僅かに膨出している。そして、固定ネジ挿入穴１２１の周方向一部には半円状の切欠き１２３が形成され、この切欠き１２３の一方の固定ネジ挿入穴側端部１２３ａと他方の固定ネジ挿入穴側端部１２３ｂとは固定ネジ挿入方向で見て固定ネジ２００のネジピッチ分だけ高さがずれている。なお、この高さのずれは、前述した固定ネジ挿入穴１２１の周囲の膨出部１２２の膨出程度を切欠き部近傍でずらすことで挿入する固定ネジのピッチに合わせて調整されている。
【００２９】
矩形状の固定ネジ挿入部１２０の四隅からはベース係合部１１１の立ち上がり部分をそれぞれ挟んで脚部１３０（１３１〜１３４）が外側に延在している。脚部１３０は固定ネジ挿入部１２０から係合部側に向かって僅かに傾斜して延在しており、陶器でできた手洗器１０の寸法上の公差を吸収するようになっている。これによって、固定金具１００の仮止め状態において抜け止め部１１４が固定穴１４の固定空間側開口部１４ａに当接すると共に、脚部１３０の弾性力によって手洗器１０の寸法公差を吸収しつつ脚部１３０の先端部が手洗器１０の底壁部１３に押し付けられる。その結果、固定ネジ２００を固定ネジ挿入部１２０に挿入する際に固定金具１００が固定ネジ２００の回転に応じて回転しないようになっている（図７における実線で示す弾性変形した脚部１３０及び二点鎖線で示す弾性変形前の脚部１３０を比較参照）。
【００３０】
固定ネジ２００は、上述した固定ネジ挿入穴１２１の切欠き１２３の端部１２３ａ，１２３ｂ間の段差に対応するピッチのネジ山を有し、固定金具１００が手洗い器１０に仮止めされた状態でカウンタ２０に載置された後、カウンタ下部２０ｂからワッシャ２０１を介してカウンタ２０の手洗い器固定用貫通穴２４に挿通して固定ネジ挿入部１２０の固定ネジ挿入穴１２１に螺合させ、固定ネジ２００を締め込むことによって固定金具１００の係合部１１０を押し広げながら手洗い器１０の固定空間内に先端が挿入されるようになっている。
【００３１】
続いて、係る手洗い器１０のカウンタ２０への取付け手順について具体的に説明する。最初に手洗い器１０の底壁部１３に複数設けられた固定穴１４に固定金具１００の係合部１１０を挿入して手洗器１０の固定空間内に固定金具１００の係合部１１０を収容させることで、複数の固定金具１００を手洗器１０の固定穴１４に仮止めする。この仮止め作業にあたっては、固定金具１００の係合部１１０に設けられた先細りのテーパ部１１３を手洗器１０の固定穴１４に押し込むことで、固定金具１００の対向するベース係合部１１１間が狭まって係合部１１０を手洗器１０の固定穴１４に容易に挿入できる。その後、抜け止め部１１４が固定穴１４を通過するまで固定金具１００の係合部１１０を手洗器１０の固定穴１４に押し込む。その結果、係合部１１０の抜け止め部１１４が固定空間内に入り込むことによって、ベース係合部１１１の弾性復帰力により抜け止め部１１４が固定穴１４の固定空間側開口部１４ａの周囲に引っ掛かり、固定金具１００を手洗器１０の固定穴１４に容易に仮止めすることができる。
【００３２】
本実施形態における固定金具１００はこのような構造を有しているので、固定金具１００の係合部１１０を手洗器１０の固定穴１４に単に真っすぐに挿入するだけで、固定金具１００を手洗器１０に仮止めすることができるので、従来のようにＪ形のフックを上下逆にして更に微妙に傾けながら調整して手洗器の固定穴に挿入するような複雑な作業を必要としない。
【００３３】
手洗器の底壁には複数の固定穴が形成され、このすべての固定穴に本実施形態のような固定金具や従来例のようなＪ形のフックを仮止めする必要があるので、本実施形態の場合は従来例に比べてこの固定金具の仮止め作業を遥かに簡単に行うことができる。
【００３４】
本実施形態の場合、固定ネジ挿入部１２０に備わった脚部１３０が係合部方向に僅かに傾いて延在しているので、陶器でできた手洗器１０の寸法上の公差を吸収して固定金具１００を手洗器１０にしっかりと仮止めさせることができる。
【００３５】
続いて、このように各固定穴１４に固定金具１００を仮止めした状態の手洗器１０を水平に保ったままカウンタ２０の手洗器設置場所まで持ってくる。そして、手洗器１０の排水ソケット１８をカウンタ下部２０ｂの排水管２５のちょうど上方に位置合わせすると共に、各固定金具１００の固定ネジ挿入部１２０をこれが対応するカウンタ２０の手洗器固定穴貫通穴２４のちょうど上方に位置合わせする。
【００３６】
そして、その状態のまま手洗器１０をカウンタ２０に載置する。本実施形態によると、このような簡単な作業で各固定金具１００に備わった固定ネジ挿入部１２０の固定ネジ挿入穴１２１をカウンタ２０の手洗器固定貫通穴２４に位置合わせすることができる。従って、従来のＪ形フックのように手洗器１０への仮止め状態で各Ｊ形フックの下端がそれぞれ別々の方向を向いてカウンタの手洗器取付け貫通穴にこれらが同時に挿入されるようにそれらの下端の方向を調整しながら手洗器をカウンタに載置する面倒な作業を必要としない。
【００３７】
続いて、カウンタ下部２０ｂから固定ネジ２００をワッシャ２０１を介して固定ネジ挿入部１２０の固定ネジ挿入穴１２１にねじ込んで固定金具内に挿入していく。この際、固定ネジ挿入穴１２１の切欠き１２３の互いに対向する固定ネジ挿入穴側端部１２３ａ，１２３ｂが固定ネジ２００のピッチ分だけ段違いになっていので、固定ネジ２００を締めていくだけで固定ネジ２００が固定金具１００の係合部に向かって進入していく。
【００３８】
本実施形態の場合、上述したように固定ネジ挿入部１２０に備わった脚部１３０が係合部方向に僅かに傾いて延在しているので、陶器でできた手洗器１０の寸法上の公差を吸収する。これによって、固定金具１００の仮止め状態において抜け止め部１１４が固定穴１４の固定空間側開口部１４ａに当接すると共に、脚部１３０の弾性力によって手洗器１０の寸法公差を吸収しつつ、脚部１３０の先端部が手洗器１０の底壁部１３に押し付けられる。その結果、固定ネジ２００を各固定金具１００にねじ込みながら挿入する際に固定金具１００が固定ネジ２００と一緒に回ってしまうことはない。
【００３９】
このようにして固定ネジ２００を固定金具１００にねじ込んでいくと、固定ネジ２００は固定金具１００の対向するベース係合部１１１に形成されたガイド凹み部１１５に沿って係合部１１０の先端方向に向かい進んでいく。これによって、元々固定ネジ２００の直径よりも狭い間隔を有していたベース係合部１１１の先端部１１１ａが固定ネジ２００によってこの直径分まで押し広げられる。その結果、固定金具１００の係合部１１０のベース係合部１１１に形成された切欠き部１１６よりも先端側即ちこの部分に形成された折り曲げ係合部１１２が手洗器１０の固定空間内で拡開する。これによって、折り曲げ係合部１１２の抜け止め部１１４が手洗器１０の固定穴１４の固定空間側開口部１４ａの周囲に当接し、固定金具１００が手洗器１０の固定穴１４から抜け落ちなくなり、手洗い器１０をカウンタ２０にしっかりと固定することができる。
【００４０】
図７は、本実施形態における固定金具１００に固定ネジ２００を完全に挿入した後の状態を手洗器１０の固定穴１４と共に示す断面図である。この図からも固定金具１００が手洗器１０にしっかりと係止し、手洗い器１０がカウンタ２０に確実に固定されていることが分かる。
【００４１】
このような固定ネジ挿入作業を各固定金具１００に対して行うことで、手洗器１０の底壁部１３の所定位置に複数形成された固定穴１４の全てを介して固定金具１００と固定ネジ２００で手洗器１０をカウンタ２０に固定することが可能となる。
【００４２】
なお、本実施形態においては、上述したように固定金具１００に固定ネジ挿入ガイド用の凹み部１１５が形成されていたが、必ずしもこの凹み部１１５は必要としない。しかしながら、この凹み部１１５を有していた方が固定ネジ２００を固定金具１００にねじ込みながら挿入する際に固定ネジ２００が正しい方向で挿入されるようにガイドするので、固定金具１００の係合部１１０を確実に拡開させることができる点で好ましいと言える。
【００４３】
また、本実施形態においては上述したように係合部１１０の係合ベース部１１１に切欠き部１１６が設けられていたが、必ずしもこの切欠き部１１６は必要としない。しかしながら、この切欠き部１１６を有していた方が固定ネジ２００を固定金具１００にねじ込みながら挿入する際にこの切欠き部１１６を支点として折り曲げ係合部１１２を拡開させ易くなり、抜け止め部１１４を手洗器１０の固定穴１４の固定空間側開口部１４ａの周囲により当接させ易くなる点で好ましいと言える。
【００４４】
図８（ａ）は、本実施形態において使用される手洗い器の断面図であり、図８（ｂ）は、従来のＪ型のフックボルトを用いてカウンタに取付けられる手洗い器１００’の断面図である。この図から明らかなように、従来のＪ形のフックボルトを用いて手洗い器１００’をカウンタに取付ける際には、Ｊ形のフックボルトの頭部を収容する固定空間１５’の容積がかなり大きいのに対して、本実施形態における固定金具１００を用いて手洗い器をカウンタに取付ける場合は、この固定空間１５の容積が小さくて済むので、深さが薄くすっきりとしたデザインを有する皿形の手洗い器１００をカウンタ２０に取付け可能であることが分かる。なお、これは、手洗い器の代わりに皿形の洗面器をカウンタに取付ける場合も同様であることは言うまでもない。
【００４５】
以上説明したように、本発明がこのような手洗い器のカウンタへの取付け構造を有することで、従来の皿形の手洗い器のカウンタへの取付け構造のようにＪ形をなす複数のフックボルトを上下逆にした状態で手洗い器の取付け穴を介して手洗い器に仮係合させ、この状態で手洗い器をカウンタの上に載置して手洗い器をカウンタに固定する必要がない。
【００４６】
これによって、手洗い器をカウンタに載置する際に全てのフックボルトの下端をカウンタの取付け穴に同時に挿入されるように各フックボルトの下端の向きを調整しながら手洗い器をカウンタに載置する作業を行わずに済み、皿形の手洗い器をカウンタに容易に取付けることができるようになる。
【図面の簡単な説明】
【００４７】
【図１】本実施形態に係る皿形の手洗い器がカウンタに載置して固定された状態を示すトイレルームの側面図である。
【図２】図１に対応してトイレルームの便器前方から見た正面図である。
【図３】本実施形態に係る皿形の手洗い器がカウンタに固定された状態を部分的に示す断面図である。
【図４】手洗い器をカウンタに固定する固定金具の正面図である。
【図５】図４に示した固定金具の側面図である。
【図６】図５に示した固定金具の平面図である。
【図７】本実施形態における固定金具に固定ネジを完全に挿入した後の状態を手洗い器の固定穴と共に示す断面図である。
【図８】本実施形態において使用される手洗い器の断面図（図８（ａ））及び従来のＪ型のフックボルトを用いてカウンタに取付けられる手洗い器の断面図（図８（ｂ））である。
【符号の説明】
【００４８】
１０，１０’    手洗い器
１１    内壁部
１１ａ    下方部分
１２    外壁部
１２ａ    下端
１３    底壁部
１４    固定穴
１４ａ    固定空間側開口部
１５    固定空間
１８    排水ソケット
１９    排水プラグ
２０    カウンタ
２０ａ    上面
２０ｂ    カウンタ下部
２１    蛇口
２２    ソケット挿入穴
２４    手洗い器固定用貫通穴
２５    排水管
１００    固定金具
１１０    係合部
１１１    ベース係合部
１１１ａ    先端部
１１２    折り曲げ係合部
１１３    テーパ部
１１４    抜け止め部
１１５    凹み部
１１６    切欠き部
１１７    幅狭部
１２０    固定ネジ挿入部
１２１    固定ネジ挿入穴
１２２    膨出部
１２３    切欠き
１２３ａ，１２３ｂ    固定ネジ挿入穴側端部
１３０（１３１〜１３４）    脚部
２００    固定ネジ
２０１    ワッシャ
Ｇ    間隔
【図１】
0005035615.tif 000002
【図２】
0005035615.tif 000003
【図３】
0005035615.tif 000004
【図４】
0005035615.tif 000005
【図５】
0005035615.tif 000006
【図６】
0005035615.tif 000007
【図７】
0005035615.tif 000008
【図８】
0005035615.tif 000009